(57)【要約】【課題】本発明は、従来の譜面の音高情報と音価情報を補完する情報で構成された演奏用譜面の提供と、学習者の読譜力と相対音感とリズム感の効率的な養成を可能にする音楽学習方法の提供を目的とする。【解決手段】基準のビートを表す基準ビートマークと該基準ビートマーク間を均等に分割する補助ビートマークを時間軸上に配置したビートチャートを背景に、音符を発音するタイミング位置に曲の調号に対応する長音階の各音に付けた番号を音高指示記号として配置したビートチャート数字譜によって、従来の譜面の「音高を図式化、音価を記号化」を補完する「音高を記号化、音価を発音タイミングのグラフ化」した演奏用譜面を実現し、それを利用した読譜力と音感とリズム感を効率的に養成する音楽学習方法を提供する。
2017069117.tif 000002
【特許請求の範囲】
【請求項１】
演奏用譜面であり、パートあるいは声部ごとに音楽の時間の流れを表現する時間軸を配置し、該時間軸上に、基準としたい音価の間隔でビートを表現する図形を基準ビートマークとして配置し、
該基準ビートマーク間を均等に分割する位置に、該基準ビートマークと視覚的に区別ができる別態様の図形で補助ビートマークを配置し、小節の先頭にあたる該基準ビートマークを視覚的に強調した態様にするとともに、その背後に該時間軸と直交する線分を配置することで構成したビートチャートを背景として、音の高さを示す音高指示記号を該時間軸で各音符が奏される位置に表示し、音を停止する位置に休符記号を配置し、該音高指示記号の音高情報が、曲の調号に対応した長音階の各音に付けた番号、および、上下の半音変化を示すシャープ（♯）またはフラット（♭）の付加によって表現されていることを特徴とする演奏用譜面。
【請求項２】
該音高指示記号の態様がオクターブの位置を示す視覚的な差異が設定されていることを特徴とする請求項１の演奏用譜面。
【請求項３】
該音高指示記号に前後の音符との上下の動き方を視覚的に表現する図形要素が付加されたことを特徴とする請求項１〜２のいずれか１項記載の演奏用譜面。
【請求項４】
該音高指示記号が着脱可能な素材で構成されていることを特徴とする請求項１〜３のいずれか１項記載の演奏用譜面。
【請求項５】
請求項１〜４のいずれか１項記載の演奏用譜面を利用した音楽教育方法であって、従来の譜面の読譜力と相対音感とリズム感の養成を目的として、視覚的に譜面で示されたビートを一定のテンポで追いながら音高情報を読み取る訓練を行い、また、該音高指示記号で示される音高情報と楽器での演奏ポジションとの対応を示す表あるいは図面を併用することで楽器の全調での演奏訓練や他の演奏者とのアンサンブル練習を行うことを特徴とする音楽教育方法。
【発明の詳細な説明】
【技術分野】
【０００１】
本発明は演奏用譜面に関する。
【背景技術】
【０００２】
音楽学習者にとっての大きな難関は読譜力である。譜面で重要な情報は、音符の音の高さ（音高）と音の長さ（音価）であり、その２つの要素を同時に読み取って曲として構成しなければならない。従来から譜面を読みこなすためには、音高情報についても音価情報ついても、相当な訓練が必要とされている。とくに、初見の譜面を見て楽器を演奏することは、たとえゆったりしたテンポで弾くにしても至難の業だと思われている。そのため、例えばピアノ学習では、譜面の情報をすべて指の動きに置き換えて記憶するという「指に覚えこませる」練習方法に偏りがちであり、そうなると、さらに読譜能力を習得しにくくなるという悪循環に陥ってしまう。
そうした読譜の困難性の原因を明らかにするために、音高情報と音価情報のそれぞれで従来の譜面のあり方を考察する。【０００３】
まず、音高情報について見ると、従来の譜面である五線譜は、旋律の形や音符の重なり具合などわかりやすく視覚的に表されている。しかし、実際の楽音や楽器での演奏位置が直接的に想起できるようになるためには、長年の練習が必要となっている。なぜなら譜面上での音符のあり方をすべて記憶するには、五線上の音符位置だけでなく、臨時記号の有無、音部記号の判断、加線の解釈などパターンが膨大になるからである。また、異名同音による混乱なども関わってくる。【０００４】
しかし、これは「長年の練習によって音符のあり方を記憶していこう」という考え方からくるものであり、五線譜の成り立ちに立ち戻ると別のアプローチも可能となる。【０００５】
五線譜は、長音階を複数の平行する水平線の線上、線間に音符をプロットしたグラフであり、音部記号が音域、調号が長音階の種類を指定する。例えば、ニ長調（Ｄ  Ｍａｊｏｒ）では英語音名でＤ、Ｅ、Ｆ♯、Ｇ、Ａ、Ｂ、Ｃ♯の長音階が五線譜の線上か線間にプロットされ、このとき長音階の音名でわかるように調号のシャープ（♯）は２個である。また、同じ調号を持つロ短調（Ｂ  Ｍｉｎｏｒ）は、ニ長調と同じ音階の開始音（Ｋｅｙｎｏｔｅ）の位置を音名Ｂに変えただけのもので、グラフとしての五線譜は同じである。つまり、五線譜は調号で指定された長音階を目盛にしたグラフである。【０００６】
長音階は西洋音楽の中心的な音階であり、全音、全音、半音、全音、全音、全音、半音の音程関係の７音で構成される。長音階の開始音（Ｋｅｙｎｏｔｅ）としては、オクターブ内の１２音のどれでもよいので、音の組み合わせとしては長音階は１２種類ある。これが調であり、全調と言う場合１２種類すべての調を意味する。【０００７】
ただし、調の名前としてはピアノの黒鍵のシャープ（♯）とフラット（♭）の２通りの音名になるように（Ｃ♯とＤ♭は同音）、異名同音の調が出てくる。例えば、調号の♯が７個のＣ♯メジャーと、調号の♭が７個のＤ♭メジャーの長音階は、ピアノの鍵盤上では同じ鍵の組み合わせである。【０００８】
五線譜を長音階を目盛としたグラフとして見る場合、調号の形態の種類で分類できる。調号の♯や♭の数は、最大で長音階を構成する７個の音符と同数となるので、♯も♭も０個の調号、♯が１個から７個の調号、♭が１個から７個の調号の１５種類のグラフとなる。【０００９】
つまり、１５種類の調号で表された五線譜というグラフは、１２種類の長音階のどれかに対応しており、それを意識することで五線譜を読む能力が養われる。例えば、初見の譜面を歌唱するソルフェージュでは、五線譜が調号で示す長音階を意識し、その音の組み合わせを想起することで音符を楽音として表現できる。これが相対音感であり、訓練によって誰でも習得していける能力である。【００１０】
ちなみに、絶対音感は五線譜の音符を音名で意識した時点で音高を想起できる能力であり、この場合、五線譜が調号で示す長音階を意識しなくても譜面を読むことができる。しかし、基本的に絶対音感は幼児期に音高の記憶を脳に固定させる特別な教育（刺激と反応の反復）が必要である。そもそも絶対音感は、音楽の商業的な拡大に伴って国際的に取り決められた基準ピッチを基に人工的に作られた感覚であり、音楽的な表現には相対音感が必要であることに変わりはない。【００１１】
また、譜面を楽器で演奏するときには、五線譜が調号で示す長音階を、楽器上のその長音階の演奏位置に対応させることができれば、譜面上の音符の動きを図式的に処理していくことができる。この場合、とくに音感には関係なく、五線譜のグラフから楽器の長音階パターンへの投影が機械的にできればよい。【００１２】
次に譜面の音価情報について考察すると、従来の譜面においては、音符の音の長さである音価は、それぞれの相対的な長さが記号化され音符に付与される。この方式の利点は、長い音価であっても記述するスペースが１個分の音符だけで済み、譜面の時間軸の方向、つまり水平方向を縮めて表示できるという点である。また、音価を示す音符の「符尾（はた）」を連結することでリズムのまとまりを示すこともできる。つまり、楽曲の流れ全体を視覚的に捉えるのに有利である。【００１３】
しかし、音価が記号化されることで、演奏に際しては音楽的な時間に乗ったタイミングを習得するのに時間がかかる。たとえば８分音符、４分音符、８分音符の３個の音符が並んでいるとき、初心者などはそれぞれの音の長さを想起しながら連続して演奏するのに困難を感じることが多い。そのため、お手本としての演奏を耳で聞いておくといったことが必要となる。【００１４】
中級者以上になってくると、長年の練習によってさまざまなリズム・パターンを記憶することで個々の音符の長さにこだわらず読むことができるようになる。しかし、この段階でもあらかじめ頭の中でメロディを組み立てる必要があるので、初見の譜面をすぐに演奏する能力はなかなか習得できない。【００１５】
初見の譜面をすぐに演奏するには、譜面に書かれている音符だけでなく、背後にある基準となるビート（拍）を自分で意識し、それを譜面処理のステップとして参照しながら発音タイミングを正確にリアルタイムで判断する能力が必要となるからである。しかし、それには適切な訓練や合奏での経験などが必要であり、「指が覚えればよい」という考えではなかなか習得できないスキルとなっている。【００１６】
以上のような従来の譜面が持つ読譜の困難性を補う、あるいは回避する手段として、これまでどのような工夫が創案されたかを見ていく。【００１７】
従来の譜面では学びにくい音階の相対的な音程関係を、鍵盤楽器用に学習するためのツールは以前からさまざまなものが考案されている。例えば特許文献１の発明では、ピアノの鍵盤の奥側に立ててセットする指示装置で、音階や和音の相対的な音程関係を鍵盤の鍵どうしの距離として示すものであり、学習者は任意の調で音階や和音を練習できる。【００１８】
また、従来の譜面に相対的な音程関係を関連付けた学習メソッドである特許文献２の発明は、従来の譜面の音符に音程度数の数字を添え、その数字を鍵盤の奥側にセットした長音階のガイドで参照するという鍵盤楽器用の学習メソッドである。これにより、学習者は押鍵すべき鍵の選択に迷うことはなくなり、また、調を変更した練習も可能になる。ただし、譜面自体は元の調のままなので読譜力の養成に関しては学習者に多少の混乱をもたらすかもしれない。【００１９】
特許文献３も鍵盤楽器の学習用の発明であり、鍵盤にセットする番号ガイドの数字で譜面を表現する学習キットを構成する。実施例としては長音階の番号付けで特許文献１と同様の数字を付けた長音階のガイドも示されている。【００２０】
特許文献４は従来の譜面にリズム要素を視覚的に付与する発明であり、学習者に楽曲の背後にある拍を意識させるとともに、音符を奏するタイミングが把握しやすくなっている。【００２１】
特許文献５は音符の代わりに独自の音名を用い、音価情報を省く代わりに楽曲の拍の位置を基準に並べたものである。【００２２】
以上の発明は、いずれも従来の譜面では学びにくい相対的な音程関係を学習するためのツールであったり、従来の譜面の読みにくさを軽減させる方向での工夫がなされているが、従来の譜面では背後に隠れている、相対的な音程関係と発音のタイミングの両面をカバーするには至っていない。
従来の譜面が持つ難点を補完し、従来の譜面に対しての読譜力を効果的に養成し、音感やリズム感を効果的に教育するための新しい譜面が望まれる。
【先行技術文献】
【特許文献】
【００２３】
【特許文献１】米国特許第  ３３９５６００号明細書
【特許文献２】米国特許第  ６８８１８８７号明細書
【特許文献３】米国特許第  ８５５８０９８号明細書
【特許文献４】米国特許第  ７７６３７９０号明細書
【特許文献５】米国特許第  ６２８８３１６号明細書
【発明の概要】
【発明が解決しようとする課題】
【００２４】
本発明は、従来の譜面が表現する音高情報や音価情報を補完する演奏譜面を提供と、それによる学習者の読譜力や音感やリズム感の養成を効率的に行う練習方法の提供を目的とする。
【課題を解決するための手段】
【００２５】
上記目的を達成するため、本発明の演奏用譜面は、
パートあるいは声部ごとに音楽の時間の流れを表現する時間軸を配置し、該時間軸上に、基準としたい音価の間隔でビートを表現する図形を基準ビートマークとして配置し、該基準ビートマーク間を均等に分割する位置に、該基準ビートマークと視覚的に区別ができる別態様の図形で補助ビートマークを配置し、小節の先頭にあたる該基準ビートマークを視覚的に強調した態様にするとともに、その背後に該時間軸と直交する線分を配置することで構成したビートチャートを背景として、音の高さを示す音高指示記号を該時間軸で各音符が奏される位置に表示し、音を停止する位置に休符記号を配置し、該音高指示記号の音高情報が、曲の調号に対応した長音階の各音に付けた番号、および、上下の半音変化を示すシャープ（♯）またはフラット（♭）の付加によって表現されていることを特徴とする演奏用譜面として構成される。【００２６】
さらに、この特徴に従う演奏用譜面は、該音高指示記号の態様がオクターブの位置を示す視覚的な差異を設定することで、１オクターブよりも広い音域を表示できる。【００２７】
さらに、この特徴に従う演奏用譜面は、該音高指示記号に前後の音符との上下の動き方を視覚的に表現する図形要素を付加することでメロディの動きの判別が直感的に行えるようになる。【００２８】
また、本発明の演奏用譜面は、該音高指示記号を着脱可能な素材で構成することで、教師や学習者が自由に音符を配置することが可能となる。【００２９】
さらに、本発明は、本発明の特徴に従う演奏用譜面を利用した音楽教育方法であって、従来の譜面の読譜力と相対音感とリズム感の養成を目的として、視覚的に譜面で示されたビートを一定のテンポで追いながら音高情報を読み取る訓練を行い、また、該音高指示記号で示される音高情報と楽器での演奏ポジションとの対応を示す表あるいは図面を併用することで楽器の全調での演奏訓練や他の演奏者とのアンサンブル練習を行うことを特徴とする音楽教育方法を提供する。
【発明の効果】
【００３０】
本発明は、従来の譜面の「音高情報が長音階を目盛としたグラフで視覚的に表現され、音価情報が記号で示される」という特徴と対をなす、「音高情報を相対音感で読める長音階の音階番号で表し、音価情報はビートを目盛にしたグラフでの発音タイミングとして視覚的に表現する」という特徴を持つ譜面を提供し、それによって従来の譜面への読譜力とともに、相対音感やリズム感を効果的に訓練することが可能となる。
【図面の簡単な説明】
【００３１】
【図１】本発明の一実施例による単旋律の譜面の一例を示す。
【図２】本発明の一実施例による伴奏付き譜面の一例を示す。
【図３】本発明の一実施例によるピアノ曲の譜面の一例を示す。
【図４】本発明の一実施例による多声音楽譜面の一例を示す。
【図５】本発明に係る音階番号と鍵盤楽器との対応ガイドシートの一例を示す。
【図６】本発明に係る音階番号と鍵盤楽器との広い音域の対応ガイドシートの一例を示す。
【図７】本発明に係る音階番号とギターとの対応チャートの一例を示す。
【発明を実施するための形態】
【００３２】
以下、本発明の譜面である「リズムチャート数字譜」の実施例を図を使って説明する。なお、以下の文中における「従来の譜面」とは、従来の五線譜での譜面を意味する。
【００３３】
図１は本発明の基本的な実施形態の一例を示すものである。まず、従来の譜面における小節の並びの代わりに水平の線分で時間軸１０１を配置する。該時間軸は、従来の譜面での小節と同様に、任意の数の小節で区切って段を構成することで、連続した時間を示すことができ、図１においては各該時間軸の終端に区切線１４１を追加している。該時間軸の態様は時間の流れる方向を示し、後述のビートマークを配置するベースとしての機能を満たせば、ここでの態様に限るものではない。
【００３４】
該時間軸上に、拍の位置を視覚的に表現するビートマークを配置する。まず、基本の拍あるいは基準にしたい任意の音価を示す基準ビートマーク１１１、１１２、１１３を等間隔で配置する。例えば４分の４拍子では、基本的に４分音符を拍の基準にすればよいが、実際は曲のテンポによって演奏者にとっての拍の基準は変化する。例えばスローテンポで３２分音符などの短い音価が多用される曲では、８分音符などの短い音価を定常的なビートとして意識するほうが譜面も読み取りやすく、また、音楽的な表現も適切になってくる。つまり、譜面の拍子記号に機械的に従うのではなく実際の演奏にとって重要な音価を該基準ビートマークとして配置するのが望ましい。
【００３５】
図１の例では小節の頭に位置する基準ビートマーク１１１と小節の頭以外の奇数拍を示す基準ビートマーク１１２および偶数拍を示す基準ビートマーク１１３をそれぞれ区別できる態様にしている。
また、循環するビートを視認しやすくするためにビート補助線１３１、１３２を小節内の同一のビート位置を通過する直線として追加する。そのとき、小節の頭のビート補助線１３１を、小節の先頭が視認しやすい強調された態様にするのが望ましい。
【００３６】
さらに、必要に応じて該基準ビートマークを均等に分割する位置に補助ビートマーク１１４を追加する。例えば基準のビートが４分音符の場合、２分割での該補助ビートマークは８分音符の間隔、また３分割では３連符の間隔となる。どう分割するかは曲の細かいフレーズがどの音価で構成されているかに依存し、学習者が読み取りやすいことを目的として決定する。
なお、該基準ビートマークや補助ビートマークの態様については、図１の例では楕円形で表現しているが、四角形や三角形や他の他の多角形など別の形状やイラストであってもかまわない。
【００３７】
以上の要素で楽曲の拍的構造を示すビートチャートが構成される。そして、該ビートチャートの要素である該基準ビートマーク、該補助ビートマーク、および該時間軸上に、楽曲の各音符が発音される位置にその楽音の音高を示す音高指示記号１２１を表示し、また、楽音を切断する位置に通常の音楽記号の休符に応じた休符記号１２４を表示する。
【００３８】
該音高指示記号は従来の譜面での音符の音高情報を示すもので、本発明においては、その楽曲の従来の譜面に記されている調号が示す調の長音階の各音に付けた番号を使う。例えばニ長調では、英語での音名Ｄ、Ｅ、Ｆ♯、Ｇ、Ａ、Ｂ、Ｃ♯の７個の音階音に１から７の番号を対応させた数字となる。この番号付けは各音の音階での順序を表し、また、和声学における度数に対応する数字でもあるため、理解されやすいと同時に、この番号を意識することがより深い音楽理論的な考察のための基礎力を養うことにもなる。
以降、本明細においてこの譜面の調号に対応する長音階の各音の番号のことを「長音階番号」という名称で呼ぶことにする。
【００３９】
長音階番号は１から７の数字であるため、楽曲のメロディが１つのオクターブ内の７個の音階音の範囲に収まらない場合は、長音階番号のオクターブの違いを示すためのオクターブ指示記号１２２を付加することで１オクターブ超の音域を表すことができる。
該オクターブ指示記号は、オクターブの区別が付けられるのであればどのような態様であってもよいが、図１では１オクターブ下であることが直感的に理解しやすい下向きの三角形を付加することで表現している。このほか、矢印形状や該音高指示記号の表示色を変えるといった態様などでもよい。
【００４０】
以上の前記ビートチャートとそこにプロットされる該音高指示記号と該オクターブ指示記号および該休符記号によって、本発明の「リズムチャート数字譜」が構成される。
【００４１】
該基準ビートマークはメロディとは関係なく、楽曲の背景として常に存在する拍を明示しており、学習者が常に自分で拍をきざみながら、それを基準にメロディを乗せるように演奏する訓練が行える。これは指揮者の感覚を与えるもので、一定のテンポで譜面を読み進めていく初見演奏や、他人と共通のテンポで演奏するアンサンブル演奏のためのスキルを効果的に育成することができる。
【００４２】
図１では曲のタイトルとともに、演奏時のキー（調）を示す演奏調記号１０３を表示している。ここでの例においては演奏調として「Ａｎｙ  Ｋｅｙ」を指定しているが、「これは特定の調によらず、全調での練習が望ましい」という指示を意味する。
【００４３】
本発明のリズムチャート数字譜では、音高情報が長音階番号で示されるので、学習者が任意の調の長音階を長音階番号に対応させることで、同じ譜面のままで容易にどの調でも演奏や歌唱ができる。
【００４４】
例えば、本発明の譜面で歌唱する場合、本発明の譜面を初見で見て学習者が想起する長音階で歌唱することが可能である。ただしそれには、学習者に長音階番号で音階音を想起する相対音感が備わっていることが必要となるが、相対音感は長音階の音程関係を把握する能力であり、比較的誰でも年齢などに関係なく訓練によって習得することが可能である。つまり、本発明の譜面は相対音感教育にとってきわめて有用な教材となる。
【００４５】
ごく初心者のうちは、該ビートマークを順に追いながら長音階番号を数字として読むだけでリズムの読み取り練習ができる。慣れてくれば、テンポにしたがって読み進める長音階番号に音程を結び付けることで、楽曲の音階構造とリズム構造の両方を正しく認識する能力が養成できる。
【００４６】
また、楽器の学習者のためには、長音階番号とさまざまな楽器での演奏ポジションとの対応を示す表や図面を用意することで、初心者や独習者でもすぐに本発明の譜面を読みながら、どの調でも容易に楽器で練習することができる。この長音階番号と楽器との対応表については、図５で示すような鍵盤楽器用のガイドシートなどの例を後述する。
【００４７】
従来の譜面である五線譜が、調号で指定された長音階の音階音を線とその間にプロットするグラフである点に注目すると、本発明の譜面を活用した全調での練習によって、学習者がすべての調の長音階を容易に演奏できるようになることは、同時に、従来の五線譜での読譜力の強化にもなっていることを意味する。本発明の譜面が、従来の譜面のたんなる代替ではなく、補完するものであるという意味がここにある。
【００４８】
図２は複数のパート（あるいは声部）で構成されるスコアを本発明で実施した例である。
括弧１０２によって並行して表示されるパートごとの該時間軸をまとめることでスコアを構成する。該時間軸およびそこに配置される該ビートマーク（該基準ビートマークおよび該補助ビートマーク）、該音高指示記号などの意味や特徴は、すでに図１の例で述べたものと共通である。
この例においてはスコアを構成する図要素として該括弧１０２のように括弧という形態を使用しているが、これは従来の譜面でピアノ用の大譜表を構成する図形と共通であり直感的に理解しやすいという理由からであって、別の態様であってもかまわない。
【００４９】
図２においては通常の音価を示す音楽記号を、音価記号１５１として、スコアの最上部のパートの該音高指示記号に対して表示している。これによって、学習者に短い音価などを正確に示すことができるとともに、通常の音楽記号で記載されたリズムを拍に乗せて正確に読み取る練習教材としても活用できる。なお、該音価記号の表示位置はここでの例に限るものではなく、学習者に音価を示したい該音高指示記号の近傍に表示すればよい。
【００５０】
また、該ビート補助線１３１および該区切り線１４１に加えて、曲の終止を示す終端記号１４２を追加する。これらの図形要素によって図２で示す楽曲「Ａｍａｉｎｇ  Ｇｒａｃｅ」のようなアウフタクトで始まる曲（１拍目以外で始まる曲）においても、スコア全体で拍の循環構造が明示でき、学習者に「最後の小節の３拍目が曲の冒頭の拍となる」ことも直感的に理解させることができる。
【００５１】
なお、ここでの該区切り線１４１の態様は、スコア全体のリズム構成をより理解しやすくするためにビート補助線１３１と同態様にしている。もちろん別態様でもよい。
【００５２】
ほかに図２では、該音高指示記号のバリエーションとして和音記号１２５を追加している。和音は同時に鳴らす音であるので長音階番号を縦に並べた表示にすることで容易に表現できる。
【００５３】
図２のスコアにおいては、上側をメロディパート、下側を伴奏パートで構成しているが、下の伴奏パートについては、低音の音域を自由に選択できるように厳密なオクターブ指示の記号は省略している。初心者向けの単純な楽曲で選択すべき音域が即座に判断できる場合は、表示の単純さが学習の効率に有利に働くことも多いからである。
【００５４】
また、鍵盤楽器で両手奏を行う場合は、後述の図５で示すような鍵盤ガイドシートを右手用と左手用のそれぞれの音域で２枚使えばよい。初心者であってもすぐに譜面を読みながら鍵盤楽器での両手での演奏に取り組めることは本発明の大きな利点である。
【００５５】
該鍵盤ガイドシートの併用によって全調での練習も容易に行える。その際、学習者の全調への理解が進んでいくにしたがって、片方の手だけに該鍵盤ガイドシートを用いたり、最終的には該鍵盤ガイドシートがなくても弾けることを目標にすればよい。このように常に自分の調への対応スキルの状態を自覚しながら能動的に練習できる点も本発明の利点である。
【００５６】
図３はショパンの「幻想即興曲」の冒頭の主題（５〜８小節）を本発明の譜面で実施した例である。
【００５７】
この例においては演奏調表示１０３によって曲の調を明示することで、長音階番号１２１がどの調の長音階に対応するかを一意に決定できる。ここでは演奏調表示１０３がシャープ（♯）４個を示すのでシャープ（♯）４個の調であるＥメジャーの長音階が対応する。つまり、調号のシャープ（♯）やフラット（♭）の数で調を表す方法をとっている。この場合、長調と短調の区別がつかないが、もともと、楽曲の長調と短調の区別は調号の外形的な要素で決定されるものではなく、音符で書かれた音楽の内容によって決定されるものである。つまり、本発明においては調号に対応する長音階が特定できればよいので調号の♯と♭の数だけで読譜に不都合はない。むしろ、図１の例で述べたように調号を長音階で意識することは五線譜を機械的に効率よく読み取る能力の育成にとっても都合がよい。もちろん、楽典に忠実に「Ｃ♯  ｍｉｎｏｒ」といった従来の表記であっても問題はないし併記してもよい。
【００５８】
図３の該ビートチャート数字譜面は従来のピアノ用の大譜表を表情記号を取り除いた音符の情報をそのまま変換したものであり、括弧１０２でくくられた２つのパートで構成され、上部が右手用パート、下部が左手用パートのスコアとなる。また、それぞれのパートの視覚的な区別がつきやすいように該基準ビートマークの背景の色を変えている。もちろん、パートの視覚的な区別を付けるための態様の差はここでの例に限るものではない。
【００５９】
図３のスコアで特徴的なのは、右手用パートと左手用パートのそれぞれの該補助ビートマークの配置が異なる点である。右手用パートの該補助ビートマークは該基準ビートマークを２分割する位置に、左手用の下部のパートでの該補助ビートマークは該基準ビートマークを３分割する位置に配置されている。このような両手での複合的なリズムは、従来の譜面では初見で正確に演奏しにくく習得に時間がかかるものであったが、本発明では発音タイミングが正確に図示されるので、学習者は時間の流れに沿って順次でてくる音を演奏することに集中すればよい。つまり、初心者であっても複雑に見えるリズムの楽曲を練習対象に選べるだけでなく、お手本の演奏を聴かなくても譜面に忠実な演奏を学習することが可能となる。こうした点も本発明によって実現される大きな効用のひとつである。
【００６０】
また、図３のスコアのような中級者以上が取り組む曲では音域も広くなってくるため、広範囲の音域を示すために該音高指示記号に工夫を加えている。図３に示される長音階番号１２１は表示位置にオクターブの上下関係に対応した高低の差を付けており、基準となるオクターブ位置が中央の高さで、それぞれオクターブ上と下の合計３オクターブが表現できる。さらに、基準から１オクターブ上よりもう１オクターブ上であることを示す上向き三角形のオクターブ指示記号１２３と、基準から１オクターブ下よりもう１オクターブ下であることを示す下向き三角形のオクターブ指示記号１２２を追加している。
これらの図形追加と表示態様の差によって合計５オクターブの音域を、それぞれのパート（該時間軸）ごとに表現することができる。
【００６１】
従来の譜面では、表示する音域が広くなると、五線以外の加線の追加、別の音部の五線への記入の移動、あるいは同一五線での音部記号の付け替えなどの方法が取られるため、パート（声部）が入り組んだり、音部の読み取りに錯誤が生じやすくなるが、本発明では、パートの該時間軸ごとに独立してコンパクトに表示することができる。これも本発明の利点である。
【００６２】
なお、５オクターブにわたる音域での長音階と鍵盤との対応を示す図面は、例えば後述の図６に示す鍵盤ガイドシートで実現できる。
【００６３】
該音高指示記号で示される長音階番号が長音階以外の音である場合、長音階番号に通常の音楽記号と同様のシャープ（♯）またはフラット（♭）の臨時記号１２６を長音階番号に付加する。♯は半音上の音程、♭は半音下の音程を示す。この臨時記号１２６は、該音高指示記号１２１の一部として構成し、従来の譜面での臨時記号のように同一小節内での省略をすることはない。つまり、学習者は現在読み取っている該音高指示記号だけに集中すれば正確に音高が読み取れる。これにより、従来の譜面で起こりがちな臨時記号の見落としがなくなるとともに、臨時記号が解除されたことを示す「ナチュラル」という記号も不要となる。
【００６４】
図３の例でわかるように、本発明のリズムチャート数字譜は、初心者用の簡易の譜面あるいは従来の譜面に移行する前の初心者向けの譜面にとどまらず、上級者までを対象に有用な練習譜面を提供することができる。
従来の譜面の「音高をグラフ化、音価を記号化」と本発明の譜面の「音高を数値化、音価をグラフ化」は補完関係にあるからである。
【００６５】
従来の譜面と本発明の譜面を並べて表示したり、従来の譜面の読みにくい部分や理論的に捉えておきたい部分に本発明の譜面を脚注的に表示することは、学習に多大な効果があり、指導者がいなくても、上級者向けの楽曲を音楽的に深く正確に学習するのに有用である。
【００６６】
図４はバッハの平均律曲集第２巻の１２番のフーガのエンディングの６小節を本発明で実施したものである。
【００６７】
本来の調は、図３での例と同様に演奏調表示１０３によって表されるが、これまで述べてきたように長音階番号を任意の調の長音階に対応させることですべての調で演奏することが容易にできる。
【００６８】
この曲は３声のフーガなので、図４のように括弧１０２で３声のパートをまとめ、区切り線１４１と終端記号１４２を３パートのまとまりを示す態様で表示している。
【００６９】
従来の譜面では、鍵盤楽器用の大譜表で記されるが、その場合、両手の使い分けはわかりやすいが、上下の声部の旋律が交差して上下関係が入れ替わる部分など、個々の声部の動きが視覚的にとらえにくくなる。そのため、学習者は３声のパートを明確に弾き分ける練習よりも、右手と左手の複雑な動きを記憶する練習に傾きがちであった。
それに対して、本発明では３つの独立したパートをそれぞれが発音するタイミングも含めて明確に表すことができ、それぞれの声部の動きを確実に捉えながら練習することが容易に行える。この特徴は、暗譜の準備として練習するときにも、単なる指の動きの記憶だけではなくなるため、より音楽的な展開を意識した忘れにくい暗譜が可能となる。
【００７０】
また、図４においては、音楽の流れをわかりやすくするために、直前の音程からの動き方を示す音高方向線１２７を該音高指示記号に付加している。これにより、より直感的に音の動きの方向を読み取れるようになる。該音高方向線の表示態様については、図４の例においては該音高指示記号の前（左側）に直前の音高からの方向を上行（斜め上）、下行（斜め下）、水平の線分で表しているが、それに限るものではない。例えば、該音高指示記号の後ろ（右側）に次の音程の方向を示すように表示してもよく、また該音高指示記号の背景として色を変えた折れ線によって音程の動きを表示してもよい。
【００７１】
本発明による譜面での各声部を各パートが独立して表示できるという特徴は、鍵盤楽器だけでなく、単音楽器のアンサンブル譜としてもそのまま使うことができることを意味する。
本発明の譜面では、従来の譜面が十分に読めない初心者でも初見での演奏が可能になってくるので、初級者も上級者も同じ曲を同じ土俵で対等に共演する方法を与えることができる。これは、どのレベルの演奏者にとっても音楽の情操面での育成に有用であり、従来の音楽教育では得にくい音楽経験をさまざまレベルの学習者および教師に提供することができる。
【００７２】
またアンサンブルにおいて、従来の譜面ではトランペットのような移調楽器ではＢｂの楽器に対して実音よりも全音上の音符で譜面を作成する必要があるが、本発明の譜面では該音高記号として長音階番号を使用しているため、演奏する楽器に合わせた長音階番号と楽器の演奏ポジションとの対応を示した後述する対応表があればよく、単一のアンサンブル譜面だけでよいという利点にもなっている。しかも、長音階番号に別の調の長音階を対応させることで、任意の調でのアンサンブルも容易に行えるのも大きな利点となる。
【００７３】
図５は、長音階番号と鍵盤楽器の鍵盤との対応を示すガイドシートの一例である。鍵盤ガイドシート２０１は、鍵盤楽器の鍵盤の奥側に、鍵盤と背後の板との間に挟み込むように立てることによって、相対音階の各音がどの鍵盤に対応しているかを学習者に示すガイドシートとして使用できる。
【００７４】
鍵盤楽器は鍵盤の奥側において鍵が半音間隔で同じ幅で配列されているので、長音階の「全音、全音、半音、全音、全音、全音、半音」という音程関係は、鍵盤の奥側での距離として学習者に示すことができる。鍵盤ガイドシート２０１には、長音階の音程差に応じて鍵盤の奥での鍵盤の距離に読み替えて配置した長音階番号２０２と、それぞれの長音階番号の中央位置を示す線分２０３を表示する。このとき線分２０３は直線以外の図形、記号であってもよいが、長音階番号が特定の鍵盤を視認しやすく指示するという機能を満たすことが望まれる。
【００７５】
また、長音階番号２０２は、オクターブの違いが視認しやすいように色や字体などの態様に差を設けることが望ましい。
なお、該鍵盤ガイドシートに表示する音域は図５に示した範囲に限るものではなく、任意の範囲で作成できることは言うまでもない。ほかに、例えば低音部の左手用と高音部の右手用に２枚の該鍵盤ガイドシートを用意して、それらを鍵盤の別の音域の同じ音にそれぞれセットするといった方法でもよい。
【００７６】
鍵盤ガイドシート２０１の長音階番号の「１」に合わせた鍵盤の音によって、長音階番号が示す音階の調が決まる。例えば、ニ長調では音名Ｄの鍵に長音階番号「１」を合わせればよい。そして、図１や図２の実施例で示したような全調での練習用譜面では、該鍵盤ガイドシートを左右にスライドさせて、長音階番号「１」に対応する鍵を変更することによって、容易に調を変更して演奏できる。
【００７７】
こうした全調での練習は、相対音感の強化と楽器への理解を深めるのに効果的であるだけでなく、楽曲のメロディー構造を相対的な音程関係で捉えることで、楽曲分析能力が高まるとともに作曲能力やアドリブ演奏能力の基礎を作る訓練にもなる。
【００７８】
なお、鍵盤楽器と長音階との対応を示す図面としては、ここで示したような鍵盤楽器にセットする形態ではなくても実現できる。例えば、調号ごとに鍵盤を模式的に図示した鍵盤図に長音階の位置を示した図面のセットでもよい。
【００７９】
図６は、図５で示した該鍵盤ガイドシートの音域を拡張した例で、５オクターブの範囲をカバーする５枚の鍵盤ガイドシート２１１、２１２、２１３、２１４、２１５の５枚セットで構成される。ここでは１枚につき１オクターブの音域での５枚セットにしているが、１枚あたりの音域やセットを構成するカードの数はここでの例に限るものではない。
【００８０】
この例における各鍵盤ガイドシートに表示される長音階番号２０２は、オクターブごとに表示の縦位置に差異を設定しており、縦方向の位置の基準となる線分２０２に対して、鍵盤ガイドシート２１１では中央、２１２では下、２１３では上に表示しており、それぞれ基準のオクターブ位置、基準より１オクターブ下、基準より１オクターブ上の区別が付けられている。
【００８１】
長音階番号の表示縦位置の差異に加えて、オクターブ下であることを示す下向き三角形２０６を追加した基準より２オクターブ下の鍵盤ガイドシート２１４と、オクターブ上であることを示す上向き三角形２０５を追加した基準より２オクターブ上の鍵盤ガイドシート２１５を加えることで５オクターブのセットとして構成している。
これらの表示態様は図３および図４で示した本発明の譜面での該音高指示記号の表示態様と対応しており、５オクターブの範囲の音高に対応する鍵盤位置を読み取りやすくしている。
【００８２】
なお、オクターブの視覚的な差異を設定するための長音階番号の表示位置の差異や付加する図形要素は、ここで示した態様以外でも実現可能であり、また音域についても、ここで示した５オクターブの音域より広い音域に対応させることは、長音階番号の表示態様に表示色差異を設定したり、別の図形要素を加えるなどの方法によって簡単に実現できることは言うまでもない。
【００８３】
図７は、長音階番号とギターの指板との対応を示す図面の一例として長音階指板チャート３０１を示す。
【００８４】
ギターは手首位置を移動せずに指板を押さえられる４フレット〜５フレットの範囲の基本的なポジションが５通りある。そのそれぞれのポジションについて弦とフレットを模式的な図で表し弦番号３０３を付加することで、指板図３０２が構成でき、該指板図に各ポジションごとの長音階の長音階番号３０４をプロットすることで。長音階番号とギターでの演奏ポジションとの対応表を構成できる。このとき、長音階番号３０４はオクターブの差異を容易に区別できる態様で実現されることが望ましく、ここでの例ではオクターブごとに表示色を変えている。
【００８５】
この相対音階指板チャート３０１ではそれぞれのポジションが指板のどのフレットに対応しているかは示されていない。つまり長音階番号３０４の「１」の位置の音を主音とした長音階を任意に選べ、容易にいろいろな調での練習が可能になっている。
【００８６】
ギターと同様に指板で音高を決める弦楽器すべてについて同様の長音階番号と楽器の演奏ポジションとの対応表を作成でき、バイオリンやチェロなどでも本発明の譜面を使用した練習が可能である。
【００８７】
このほか長音階番号と楽器の演奏ポジションの対応表については、例えば管楽器などでは全調に対応した長音階の運指表を用意することで、容易に実現できる。
【００８８】
以上、本発明のビートチャート数字譜を構成する視覚的要素および発明の効果について解説してきたが、さらに物理的な表示方法およびそれを用いた学習方法について述べておく。
【００８９】
まず、本発明は従来の譜面と同様に印刷によって容易に実施できる。ほかに、電子的なディスプレイ上での表示が容易であることは言うまでもない。
【００９０】
印刷する場合、従来の譜面と同様のサイズで使用する以外に、さまざまなバリエーションが考えられる。例えば、幼児への音楽教育、とくに譜面の読譜能力を養成する訓練において本発明を使用する場合、例えば該ビートマークを幼児が踏んで歩けるくらいの大きさに印刷したマットで実施することによって、一定のテンポで「歩きながら読む譜面」として使える。
【００９１】
教師は、学習者が一定のテンポで該ビートマーク上を歩くことを促し、足が該音高指示記号を踏むか通過するタイミングで、該音高指示記号が指示する音を歌えるように訓練する。相対音感が身についていない段階では歌う代わりに長音階番号の数字を読み上げることをマスターさせ、まず、音楽の流れに乗って音符を読み取る感覚を習得させればよい。
この学習方法は幼児に限らず、本発明の譜面を印刷した紙やで電子的なディスプレイへの表示によって、該ビートマーク上を歩いていることを想像させながらステップごとに長音階番号を読み取る訓練として行える。
【００９２】
こうした、譜面上の音符を一定のビートのステップごとに処理する能力を実際の身体で行う訓練は、初見の楽譜を一定のテンポで演奏する初見演奏能力の養成に効果的である。
つまり、譜面を読むということを「音符を読む」のではなく「拍を順次読んでいき、書かれている音符を処理する」という感覚を養うことで、ただひたすら「指に覚えこませる」という練習に陥らないようにできる。
【００９３】
そして、従来の譜面と併用しながら、上達度に対応した難易度の違う該リズムチャート数字譜面を用意することで、読譜力と相対音感とリズム感を不可分のものとして教育する統合的な音楽学習カリキュラムとして構成できる。これは独習用メソッドとしても有効である。
【００９４】
さらに、本発明の該リズムチャート部分を台紙として、そこに該音高指示記号を着脱可能なパーツで構成することによって、学習者が自分で自由に譜面を構成できる音楽学習器具あるいは音楽学習玩具としても実施できる。該音高指示記号パーツを着脱可能とする材質は、一時的に該リズムチャートに該音高指示記号パーツを固定できる機構であれば種類を問わない。例えば、磁石、弱い粘着性テープなどで該リズムチャートの台紙に付着させたり、また、該リズムチャートの台紙を穴あき基盤にして該音高指示記号パーツをはめ込むといった構造にしてもよい。
【００９５】
なお、本発明を電子的ディスプレイ上で実現する場合は、上記の動的に構成を変化させる実施が容易に行えるだけでなく、ソフトによってインタラクティブな音楽教育装置として実施できることも言うまでもない。
【００９６】
いずれの形態においても、本発明の長音階番号によって容易にどの調にでも対応できる点と、お手本の演奏がなくてもリズム的に正確に練習できるという特徴によって、従来の譜面を補完し、学習者の音感、リズム感、読譜能力などを効率的に訓練する学習ツールとなる。
【産業上の利用可能性】
【００９７】
本発明に係るビートチャート数字譜面は、従来の譜面を読解する能力を向上させるとともに、音感教育、リズム教育にも効果的であることから、音楽学習者の楽器上達速度を向上させることが可能であり、さまざまな楽器や譜面への需要を高め、音楽教育の産業分野において広く利用することができる。
【符号の説明】
【００９８】
１０１．音楽の流れを示す時間軸
１０３．演奏調表示
１１１〜１１３．基準ビートマーク
１１４．補助ビートマーク
１２１．音高指示記号
１２２．オクターブ指示記号
１２４．休符記号
１２７．音高方向線
１３１．ビート補助線
２０１．鍵盤ガイドシート
２０２．長音階番号
３０１．長音階指板チャート
【図１】
2017069117.tif 000003
【図２】
2017069117.tif 000004
【図３】
2017069117.tif 000005
【図４】
2017069117.tif 000006
【図５】
2017069117.tif 000007
【図６】
2017069117.tif 000008
【図７】
2017069117.tif 000009
【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
演奏用譜面であり、パートあるいは声部ごとに音楽の時間の流れを表現する時間軸を配置し、該時間軸上に、基準としたい音価の間隔でビートを表現する図形を基準ビートマークとして配置し、
該基準ビートマーク間を均等に分割する位置に、該基準ビートマークと視覚的に区別ができる別態様の図形で補助ビートマークを配置し、小節の先頭にあたる該基準ビートマークを視覚的に強調した態様にするとともに、その背後に該時間軸と直交する線分を配置することで構成したビートチャートを背景として、音の高さを示す音高指示記号を該時間軸で各音符が奏される位置に表示し、音を停止する位置に休符記号を配置し、該音高指示記号の音高情報が、曲の調号に対応した長音階の各音に付けた番号、および、上下の半音変化を示すシャープ（♯）またはフラット（♭）の付加によって表現されていることを特徴とする演奏用譜面。
【請求項２】
該音高指示記号の態様がオクターブの位置を示す視覚的な差異が設定されていることを特徴とする請求項１の演奏用譜面。
【請求項３】
該音高指示記号に前後の音符との上下の動き方を視覚的に表現する図形要素が付加されたことを特徴とする請求項１〜２のいずれか１項記載の演奏用譜面。
【請求項４】
該音高指示記号が着脱可能な素材で構成されていることを特徴とする請求項１〜３のいずれか１項記載の演奏用譜面。
【国際調査報告】
2017069117.tif 000010
2017069117.tif 000011
2017069117.tif 000012
2017069117.tif 000013